(57)【要約】【課題】特定の連長体を容易、確実且つ正確に識別可能であり、さらに、その識別の正確性、確実性が長期間に亙って維持される識別手段がなかった。【解決手段】本発明の情報記憶装置は、細長の基材にその長手方向に沿ってデータの書込み及び読出しが可能な２以上の情報記憶素子を配置し、それら情報記憶素子を前記基材上にその長手方向に沿って配線した通信線又は金属線によって接続し、２以上の情報記憶素子に対するデータの一斉読出し及び一斉書込みの双方又は一方を可能としたものである。本発明の連長体は、前記装置をその外側及び内側の双方又は一方に設置したものである。【選択図】　　　図１
2004139535.tif 000002
【特許請求の範囲】
【請求項１】
細長の基材にその長手方向に沿ってデータの書込み及び読出しが可能な２以上の情報記憶素子が配置され、それら情報記憶素子が前記基材上にその長手方向に沿って配線された通信線に接続され、その通信線を介して２以上の情報記憶素子に対するデータの一斉読出し及び一斉書込みの双方又は一方が可能であることを特徴とする情報記憶装置。
【請求項２】
情報記憶素子はメモリを有する電子回路を備え、その電子回路は、通信線を介して書込み信号が入力されると、その書込み信号と共に、又はこれとは別に入力されたデータ信号を処理し、得られたデータをメモリに書込み、通信線を介して読出し信号が入力されると、メモリに予め書込まれているデータを読み出し、読み出したデータを通信線に送出することを特徴する請求項１記載の情報記憶装置。
【請求項３】
情報記憶素子は、電磁誘導によって電子回路の動作に必要な電圧を発生するアンテナコイルを備え、アンテナコイルが無線送信された書込み信号を受信して電圧を発生すると、電子回路はその書込み信号と共に、又はこれとは別に無線送信されたデータ信号を処理し、得られたデータをメモリに書込み、アンテナコイルが無線送信された読出し信号を受信して電圧を発生すると、電子回路はメモリに予め書込まれているデータを読み出し、読み出したデータをアンテナコイルから無線送信することを特徴とする請求項２記載の情報記憶装置。
【請求項４】
細長の基材にその長手方向に沿ってデータの書込み及び読出しが可能な２以上の情報記憶素子が配置され、それら情報記憶素子が同素子と接触しないように基材に配線された金属線を介して電磁気的に接続され、その金属線を介して２以上の情報記憶素子に対するデータの一斉読出し及び一斉書込みの双方又は一方が可能であることを特徴とする情報記憶装置。
【請求項５】
情報記憶素子は、メモリを有する電子回路と、電磁誘導によって電子回路の動作に必要な電圧を発生するアンテナコイルとを備え、金属線に書込み信号が伝送されると、アンテナコイルはこれを受信して電圧を発生し、電子回路はその書込み信号と共に、又はこれとは別に受信されたデータ信号を処理し、得られたデータをメモリに書込み、金属線に読出し信号が伝送されると、アンテナコイルは読出し信号を受信して電圧を発生し、電子回路はメモリに予め書込まれているデータを読み出し、読み出したデータをアンテナコイルから無線送信することを特徴とする請求項４記載の情報記憶装置。
【請求項６】
情報記憶素子のアンテナコイルは、金属線を介さずに空中伝搬される書込み信号、データ信号及び読出し信号も受信可能であることを特徴とする請求項５記載の情報記憶装置。
【請求項７】
夫々の情報記憶素子が個別のアドレスを有し、任意のアドレスを指定することによって、該アドレスを有する特定の情報記憶素子に対するデータの読み出し及び書込みの双方又は一方が可能であることを特徴とする請求項１乃至請求項６のいずれかに記載の情報記憶装置。
【請求項８】
情報記憶素子が保護層によって被覆されていることを特徴とする請求項１乃至請求項７のいずれかに記載の情報記憶装置。
【請求項９】
情報記憶素子による信号受信時及び信号送信時の双方又は一方において発光する発光素子を備えていることを特徴とする請求項１乃至請求項８のいずれかに記載の情報記憶装置。
【請求項１０】
圧力センサ、温度センサ、湿度センサといった各種センサを少なくとも１つ以上設け、そのセンサの検知結果（データ）を読出し可能としたことを特徴とする請求項１乃至請求項９のいずれかに記載の情報記憶装置。
【請求項１１】
ケーブル、ワイヤー、管といった各種連長体であって、その外側及び内側の双方又は一方に請求項１乃至請求項１０のいずれかに記載の情報記憶装置が設置されていることを特徴とする連長体。
【発明の詳細な説明】
【０００１】
【発明の属する技術分野】
本発明は、情報記憶装置とそれを備えた連長体に関するものである。
【０００２】
【従来の技術】
電力ケーブル、光ケーブル、電力・光複合ケーブルといった各種ケーブル、水道管、下水管といった各種管、ワイヤー、ロープ、チェーンといった各種長尺物を始めとする連長体を識別するために、それら連長体に目視可能な何らかの目印を付けておくことが従来から行われている。例えば、トラフ内に複数本のケーブルを敷設する場合、ケーブルの外被表面に文字、数字、記号等を印刷したり、エンボスマークを付けたり、ケーブル毎に異なる色のラインを設けたりしている。また、各ケーブル毎に外被の色を異ならせたり、銘盤やラベルを取り付けたりしている。
【０００３】
さらに近年では、外部と無線通信可能なタグが開発されており（例えば、特許文献１参照）、そのようなタグを識別対象であるケーブル内に埋設したり、外面に装着し、該タグに書き込まれている識別情報を無線通信よって読取装置で読み取る技術も開発されている（例えば、特許文献２参照）。
【０００４】
【特許文献１】
特開平１０−１６２２６２号公報
【特許文献２】
特開平７−２１１１５８号公報
【０００５】
【発明が解決しようとする課題】
しかし、連長体に目印を印刷して該連長体を識別可能とすることには次のような課題があった。即ち、時間が経過すると、目印が薄くなったり、汚泥の付着したりして鮮明度が低下し、目視不可能となる。また、酷い場合には目印が完全に消失してしまうこともある。さらに、印刷可能な文字、図形等の数には限りがあるので、あまり多くの情報を表示することはできない。
【０００６】
各連長体に異なる色のラインを付けたり、各連長体の色を変えたりして該連長体を識別可能とすることに次のような課題があった。即ち、多数の連長体が一箇所に存在する場合（例えば、複数本のケーブルがトラフ内に敷設されている場合）、各連長体の色が異なっていたり、色の異なるラインが付けられていたりしても、それらを頼りに特定の連長体を識別することは非常に困難であった。特に、多数の連長体が束ねられたりしている場合には、その束の内側や裏側に存在する連長体を探し出すのは困難であった。また、例えば、緑色は上り用ケーブル、黄色は下り用ケーブルといったように、色彩毎のルールを定めておけば、ある程度の情報を表示することは可能であるが、表示可能な情報量は文字や図形による場合よりも減少する。
【０００７】
外部と無線通信可能な情報記憶装置を連長体に装着したり、埋設したりして、連長体を識別することに次のような課題があった。即ち、情報記憶装置に摩擦や側圧などによる損傷を与えないために、連長体の設置や敷設に制約がある。例えば、連長体がケーブルである場合には、敷設時に大きな力を加えないように注意したり、側圧が作用しないように敷設の向きに注意したりする必要があり、作業効率や作業速度が低下する。このため、情報記憶装置を備えたケーブルは今だに実用化されていない。
【０００８】
【課題を解決するための手段】
本発明の第１の情報記憶装置は、細長の基材にその長手方向に沿ってデータの書込み及び読出しが可能な２以上の情報記憶素子を配置し、それら情報記憶素子を前記基材上にその長手方向に沿って配線された通信線に接続し、その通信線を介して２以上の情報記憶素子に対するデータの一斉読出し及び一斉書込みの双方又は一方を可能としたものである。
【０００９】
本発明の第２の情報記憶装置は、前記第１の情報記憶装置が備える情報記憶素子にメモリを有する電子回路を設け、通信線を介して書込み信号が入力されると、電子回路がその書込み信号と共に、又はこれとは別に入力されたデータ信号を処理し、得られたデータをメモリに書込み、通信線を介して読出し信号が入力されると、メモリに予め書込まれているデータを読み出し、読み出したデータを通信線に送出するようにしたものである。
【００１０】
本発明の第３の情報記憶装置は、前記第１又は第２の情報記憶装置が備える情報記憶素子に電磁誘導によって電子回路の動作に必要な電圧を発生するアンテナコイルを設け、アンテナコイルが無線送信された書込み信号を受信して電圧を発生すると、電子回路がその書込み信号と共に、又はこれとは別に無線送信されたデータ信号を処理し、得られたデータをメモリに書込み、アンテナコイルが無線送信された読出し信号を受信して電圧を発生すると、電子回路がメモリに予め書込まれているデータを読み出し、読み出したデータをアンテナコイルから無線送信するようにしたものである。
【００１１】
本発明の第４の情報記憶装置は、細長の基材にその長手方向に沿ってデータの書込み及び読出しが可能な２以上の情報記憶素子を配置し、それら情報記憶素子を同素子と接触しないように基材に配線した金属線を介して電磁気的に接続し、その金属線を介して２以上の情報記憶素子に対するデータの一斉読出し及び一斉書込みの双方又は一方を可能としたものである。
【００１２】
本発明の第５の情報記憶装置は、前記第４の情報記憶装置が備える情報記憶素子にメモリを有する電子回路と、電磁誘導によって電子回路の動作に必要な電圧を発生するアンテナコイルとを設け、金属線に書込み信号が伝送されると、アンテナコイルがこれを受信して電圧を発生し、電子回路がその書込み信号と共に、又はこれとは別に受信されたデータ信号を処理し、得られたデータをメモリに書込み、金属線に読出し信号が伝送されると、アンテナコイルが読出し信号を受信して電圧を発生し、電子回路がメモリに予め書込まれているデータを読み出し、読み出したデータをアンテナコイルから無線送信するようにしたものである。
【００１３】
本発明の第６の情報記憶装置は、前記第４又は第５の情報記憶装置が備える情報記憶素子のアンテナコイルを金属線を介さずに空中伝搬される書込み信号、データ信号及び読出し信号もを受信可能としたものである。
【００１４】
本発明の第７の情報記憶装置は、前記第１〜第６の情報記憶装置が備える情報記憶素子に個別のアドレスを与え、任意のアドレスを指定することによって、該アドレスを有する特定の情報記憶素子に対するデータの読み出し及び書込みの双方又は一方を可能としたものである。
【００１５】
本発明の第８の情報記憶装置は、前記第１〜第７の情報記憶装置が備える情報記憶素子を保護層によって被覆したものである。
【００１６】
本発明の第９の情報記憶装置は、前記第１〜第８の情報記憶装置に、それら装置が備える情報記憶素子の信号受信時及び信号送信時の双方又は一方において発光する発光素子を設けたものである。
【００１７】
本発明の第１０の情報記憶装置は、前記第１〜第９の情報記憶装置に、圧力センサ、温度センサ、湿度センサといった各種センサを少なくとも１つ以上設け、そのセンサの検知結果（データ）を情報記憶素子を介して読出し可能としたものである。
【００１８】
本発明の連長体は、ケーブル、ワイヤー、管といった各種連長体であって、その外側及び内側の双方又は一方に前記第１〜第１０の情報記憶装置のいずれかを設置したものである。
【００１９】
【発明の実施の形態】
（情報記憶装置の実施形態１）
以下、本発明の情報記憶装置の一実施例を図１に基づいて詳細に説明する。図１に示す情報記憶装置では、幅５〜５０ｍｍ程度のプラスチックテープからなる基材１の表面にその長手方向に沿って複数の情報記憶素子２を所定間隔で配置してある。さらに、情報記憶素子２が配置された基材１の表面に、それら情報記憶素子２の配列方向に沿って通信線３を配線し、各情報記憶素子２を該通信線３に接続してある。
【００２０】
前記情報記憶素子２は一般にＲＦＩＤ（Ｒａｄｉｏ　Ｆｒｅｑｕｅｎｃｙ　Ｉｄｅｎｔｉｆｉｃａｔｉｏｎ）と呼ばれる素子で、図１中の拡大図に示すように、少なくともアンテナコイル４及び電子回路５を備えている。アンテナコイル４は、図示されていないリーダー／ライターから無線送信される書込み信号、データ信号、読出し信号を受信可能であり、これら信号（電磁波）を受信すると、磁束変化に伴う電磁誘導作用によって電子回路５が動作する上で必要な電圧を生じ、これを電子回路５に供給する。電子回路５は、データを書込み及び読出し可能なメモリを備え、前記アンテナコイル４が書込み信号又は読出し信号を受信して電圧を発生すると、その電圧によって動作し、所定のデータ処理を実行する。具体的には、アンテナコイル４によって書込み信号が受信されると、その書込み信号と共に、またはこれとは別に無線送信されたデータ信号を処理し、得られたデータをメモリに書き込む。一方、読出し信号が受信された場合は、指定されたデータをメモリから読出し、これを信号化してアンテナコイル４に出力する。アンテナコイル４に出力されたデータ信号は該コイル４によってリーダー／ライターに無線送信される。即ち、リーダー／ライターは各情報記憶素子２と無線通信を行い、それら素子２と非接触でデータの一斉書込み及び一斉読出しが可能である。
【００２１】
前記通信線３は各情報記憶素子２をシリーズに接続すると共に、その一端又は両端にリーダー／ライターを接続可能である。従って、通信線３に接続したリーダー／ライターから該通信線３に書込み信号を送出すると、その信号が該通信線３を伝送路として全ての情報記憶素子２の電子回路５に順次入力される。書込み信号が入力された各情報記憶素子２の電子回路５は、書込み信号と共に、又はこれとは別に入力されたデータ信号を処理し、得られたデータをメモリに書込む。一方、通信線３に読出し信号が送出されると、その信号も前記と同様に全ての情報記憶素子２の電子回路５に順次入力される。読出し信号が入力された各情報記憶素子２の電子回路５は、指定されたデータをメモリから読出し、読み出されたデーターを信号化し、その信号を通信線３を伝送路としてリーダー／ライターに送信する。即ち、リーダー／ライターは各情報記憶素子２と有線通信を行って、データの一斉書込み及び一斉読出しが可能である。
【００２２】
ここで、各情報記憶素子２には予め個別のアドレスを与えてあり、無線通信による場合も有線通信による場合も、そのアドレスを指定することによって特定の情報記憶素子２に対するデータの書込み及び読出しを行うことも可能である。
【００２３】
（情報記憶装置の実施形態２）
以下、本発明の情報記憶装置の一実施例を図２に基づいて詳細に説明する。ここに示す情報記憶装置の基本構成は実施形態１に示す情報記憶装置のそれと同一である。異なるのは、前記通信線３に代えて各情報記憶素子２と非接触に配線された金属線６によってそれら素子２を電磁気的に接続したことである。具体的には、数珠繋ぎで複数の環状コイル７が形成された金属線６を基材１上にその長手方向に沿って配線し、各環状コイル７の内側に該コイルと非接触で情報記憶素子２を配置した。
【００２４】
ここで、各情報記憶装置２は実施形態１に示した前記構成を備えているので、金属線６の一端又は両端に接続されたリーダー／ライターから該金属線６に書込み信号、データ信号、読出し信号といった電磁波を送出すると、各環状コイル７における磁束が変化し、これに伴って各環状コイル７内に配置された情報記憶素子６が備えるアンテナコイル４（図１）の磁束が変化して電圧が発生し、電子回路５（図１）が動作する。即ち、各情報記憶素子２と金属線６とは非接触であるが、それら情報記憶素子２は金属線６を介して電磁的に接続されている。具体的には、金属線６に書込み信号が伝搬されると、その書込み信号と共に、又はこれとは別に伝搬されるデータ信号をアンテナコイル４が受信して電圧を発生する。すると、電子回路５は、アンテナコイル４によって受信されたデータ信号を処理し、得られたデータをメモリに書込む。一方、金属線６に読出し信号が伝搬されると、アンテナコイル４がそれを受信して電圧を発生する。すると、電子回路５は、指定されたデータをメモリから読出し、読み出されたデーターを信号化してアンテナコイル４に出力して無線送信する。無線送信されたデータ信号は金属線６を伝送路としてリーダー／ライターまで伝送される。
【００２５】
ここで、各情報記憶素子２は金属線６を介して無線送信された書込み信号、データ信号及び読出し信号のみでなく、リーダー／ライターから直接無線送信されたこれら信号を受信することができると共に、同リーダー／ライターに信号を直接無線送信することもできる。即ち、無線信号の到達可能エリア内にあるリーダー／ライターから書込み信号及びデータ信号が無線送信されると、それら信号を受信してデータをメモリに書込む。一方、リーダー／ライターから読出し信号が無線送信されると、その信号を受信し、指定データをメモリから読出し、これをリーダー／ライターに無線送信する。
【００２６】
ここで、各情報記憶素子２には予め個別のアドレスを与えてあり、特定の情報記憶素子２に対するデータの書込み及び読出しを行うことが可能なことは実施形態１と同様である。
【００２７】
（情報記憶装置の他の実施形態）
図３に示すように、前記情報記憶装置が備える各情報記憶素子２は保護層８で個別被覆することができる。図３に示す保護層８は、情報記憶素子２を上から被覆する上側保護層８ａと下から被覆する下側保護層８ｂからなり、下側保護層８ｂは基材１を挟んで情報記憶素子２を被覆している。尚、図４に示すように、保護層８を細長にして、複数の情報記憶素子２を一括被覆してもよい。
【００２８】
前記保護層８の素材には特別な限定はなく、目的に応じて好適な素材を選択できる。例えば、情報記憶素子２を側圧から保護したい場合は、圧力に強い素材や圧力を吸収可能な素材を選択する。また、情報記憶素子２を熱から保護したい場合は、耐熱性に優れた素材を選択する。さらに、情報記憶素子２を摩擦から保護したい場合は、耐磨耗性に優れた素材を選択する。いずれの場合も、保護層２の厚みや形状は目的に応じて適宜選択することができ、必要であれば保護層８を複数層形成することもできる。
【００２９】
基材１はプラスクッチテープではなく、紐、ロープ、ワイヤー、パイプといった長尺物であってもよい。何れの場合も、情報記憶素子２、通信線３又は金属線６を該基材１の外面に装着するか、その内部に埋設することが望ましい。基材１が如何なるものであっても、その素材は特に限定されず、使用目的や用途に応じて好適な素材を選択できる。
【００３０】
前記情報記憶素子２はＲＦＩＤに限定されるものではなく、他の情報記憶素子に代えることもできる。
【００３１】
前記情報記憶装置には、それが備える情報記憶素子がリーダー／ライターと通信中に発光する発光素子を設けることもできる。例えば、アンテナコイルが発生した電圧によって発光する発光素子を設け、書込み信号又は読出し信号の受信中やデータ信号の送信中に発光する発光素子を設けることができる。
【００３２】
前記情報記憶装置には、圧力センサ、温度センサ、湿度センサ、液体センサ、光センサといった各種センサの１つ又は２つ以上を設け、それらセンサの検知によって得られたデータをリーダー／ライターで読出し可能とすることもできる。この場合、必要に応じてリーダー／ライターからの指令によってセンサを動作させ、得られたデータをその都度読み出すことも、センサを定期的に或いは常に動作させ、得られたデータをメモリに蓄積させておき、蓄積されているデータを必要に応じてリーダー／ライターで読み出すこともできる。
【００３３】
（連長体の実施形態１）
以下、本発明の連長体の一実施例を図５に基づいて詳細に説明する。ここに示す連長体１０は通信ケーブルであり、ケーブル外被１１の内側に前記図１乃至図４に示すいずれかの情報記憶装置１２が配置されている（図５には図１に示す情報記憶装置２が配置された例を図示した。）。また、ケーブル外被１１の外周面には、情報記憶装置１２の基材１上に配列されている各情報記憶素子２の位置を示す目印１３が一定間隔で印刷されている（図５では星型の目印１３が印刷されている）。
【００３４】
情報記憶装置１２が備える各情報記憶素子２のメモリには、該ケーブル１０の品名、サイズ、設置年、製造年、敷設ルート名、敷設者名といった各種情報の１つ又は２つ以上がデータとして書込まれている。また、情報記憶装置２が備える通信線３又は金属線６の一端又は両端は、該ケーブル１０の外部に引出され、リーダー／ライターを接続するために必要なコネクタ（図示しない）が装着されている。従って、前記コネクタにリーダー／ライターを接続し、通信線３又は金属線６に読出し信号を送出すれば、情報記憶素子２から所定データを読み出すことができる。また、通信線３又は金属線６に書込み信号及びデータ信号を送出すれば、複数の情報記憶素子２に一斉にデータを書込んだり、既に書込まれているデータを一斉に書き換えたりすることができる。
【００３５】
さらに、該ケーブル１０に近づけたリーダー／ライターから書込み信号及びデータ信号、又は読出し信号を無線送信すれば、それら信号の到達可能エリア内に存在する情報記憶素子２によってその信号が受信され、データの書込み又は読出しが行われる。即ち、該ケーブル１０の末端からのみでなく、長手方向何れの位置からでもデータの書込み及び読出しが可能である。
【００３６】
加えて、情報記憶素子２のアドレスを指定することによって、ケーブル１０内に存在する特定の情報記憶素子２に対してデータの書込み及び読出しができる。
【００３７】
（連長体の他の実施形態）
前記図５に示す情報記憶装置１２をリーダー／ライターとの通信中に発光する発光素子を備えた情報記憶装置に代えれば、複数の連長体の中から現在通信中の情報記憶装置が設置されている連長体を容易且つ確実に判別することができる。尚、連長体の内側に情報記憶装置を設置する場合は、発光素子の光が外部に透過可能な構造とする。例えば、連長体がケーブルであり、その被覆の内側に情報記憶装置を設置する場合は、該被覆を透明や半透明とすることが望ましい。
【００３８】
さらに、前記図５に示す情報記憶装置１２を各種センサを備えた情報記憶装置に代えれば、該連長体自体又はその周辺情報をセンシングすることができる。
【００３９】
本発明の連長体は、通信ケーブルに限定されず、例えば、電力ケーブル、複合ケーブル、ロープ、ワイヤー、レール、パイプといった各種連長体が含まれる。また、情報記憶装置はそれら連長体の内部に配置或いは埋設することも、外側に装着することもできる。また、連長体に沿って敷設することもできる。
【００４０】
【発明の効果】
本発明の情報記憶装置によれば次のような効果が得られる。
（１）識別対象物に本発明の情報記憶装置を設置しておけば、該情報記憶装置に格納されているデータを読み出して識別対象物を容易且つ確実に識別することができる。また、情報記憶装置に電子的に格納されたデータは時間が経っても劣化したり、消失したりすることはないので、常に確実な識別が可能となる。
（２）２以上の情報記憶素子に対してデータの一斉書込み及び一斉読出しが可能なので、データの書込み作業及び読出し作業を短時間で効率的に行える。
（３）アドレスを指定して特定の情報記憶素子のデータのみを読み出したり、該素子にのみデータを書込んだりすることができるので、複数の素子に異なるデータを格納しておくことができる。
（４）基材が細長なので、ケーブル、パイプ、紐、ロープといった各種連長体への設置に特に好適である。
（５）情報記憶素子が保護層によって被覆されているので、摩擦、側圧、熱等に曝される場所にも設置可能である。また、設置時に摩擦や側圧等を受けても、それによる破損や性能低下の虞がない。
（６）情報記憶素子の通信中に発光する発光素子を備えているので、複数の情報記憶装置のうちから、現在の通信中の装置を容易且つ確実に識別可能である。
（７）圧力センサ、温度センサ、湿度センサといった各種センサを少なくとも１つ以上備え、そのセンサの検知結果（データ）を読出し可能としたので、該装置が設置された対象物自体又はその周辺の状況をセンシングすることができる。
【００４１】
本発明の連長体は前記効果を有する情報記憶装置を備えているので、次のような効果が得られる。
（１）情報記憶装置が備える情報記憶素子に格納されているデータを読み出せば、多数の連長体から目的とする連長体を容易且つ確実に識別することができる。また、時間が経過しても識別の確実性や容易性が低下することがない。さらに、識別情報以外のデータも格納しておき、それら情報をいつでも読出して確認することができると共に、必要に応じてそれら情報を更新することもできる。
（２）情報記憶素子が保護層に被覆されている情報記憶装置を用いた連長体は、摩擦、側圧、熱等に曝される場所にも設置可能である。また、情報記憶装置は多少の側圧や摩擦によっては破損したり、性能低下したりしないので、従来に比べて連長体の設置作業が楽になり、作業効率も向上する。
（３）情報記憶素子の通信中に発光する発光素子を備えた情報記憶装置を用いた連長体によれば、その光を頼りに複数の連長体の中から現在通信中の情報記憶装置が設置されている連長体を容易且つ確実に識別できる。
（４）情報記憶装置が各種センサを備えているので、該連長体自体のセンシングやその設置環境のセンシング等が可能である。
【図面の簡単な説明】
【図１】本発明の情報記憶装置の一実施例を示す説明図。
【図２】本発明の情報記憶装置の一実施例を示す説明図。
【図３】本発明の情報記憶装置の一実施例を示す説明図。
【図４】本発明の情報記憶装置の一実施例を示す説明図。
【図５】本発明の連長体の一実施例を示す説明図。
【符号の説明】
１　基材
２　情報記憶素子
３　通信線
４　アンテナコイル
５　電子回路
６　金属線
７　環状コイル
８　保護層
１０　連長体（通信ケーブル）
１１　ケーブル外被
１２　本発明の情報記憶装置
１３　目印
【図１】
2004139535.tif 000003
【図２】
2004139535.tif 000004
【図３】
2004139535.tif 000005
【図４】
2004139535.tif 000006
【図５】
2004139535.tif 000007